(57)【要約】【課題】  より簡易な工法で、且つ１方向からの組付けを行うことができ、電池セル間の温度バラツキを抑えることができ、組付け作業者の負担を軽減できるバッテリの電池モジュール構造を提供するともに、電池セルを収容する容器側の電気的な接続端子と電池セルとの電気的な接続端子の接合をより良好なものにすること。【解決手段】  バッテリの電池モジュール１において、レーザー装置のレーザー照射により、電子端子部のベーマイト皮膜部３４ａ，４４ａを除去する第１工程と、レーザー装置のレーザー照射により、電池セル３及び電池セル４の端子部３４，４４と、ロワケース６の端子６５をレーザー溶接する第２工程とを備えた。【選択図】        図１
2009037785.tif 000002
【特許請求の範囲】
【請求項１】
内部空間を形成し、上面を開口した樹脂容器本体と、
中央に厚みがあり、周縁に薄い部分を有し、上下に重ねるように前記内部空間に設置される上側扁平型組電池及び下側扁平型組電池と、
上側に配置した上側扁平型組電池と下側に配置した下側扁平型組電池の薄い部分の間で、中央の厚み部分を囲む枠形状の樹脂枠体と、
前記樹脂容器本体の開口を閉塞する樹脂蓋部と、
上側に配置した上側扁平型組電池と下側に配置した下側扁平型組電池を、前記樹脂容器本体と前記樹脂枠体、前記樹脂蓋部で上下に挟み込むよう保持する保持部と、
前記樹脂容器本体に一体に設けられた、モジュール外部との電気的な接続のための端子と、
前記上側扁平型組電池及び前記下側扁平型組電池にそれぞれ設けられた、アルミ母材表面に絶縁皮膜が設けられた電池端子部と、
を備えたバッテリの電池モジュール構造において、
レーザー装置のレーザー照射により、前記電子端子部の絶縁皮膜を除去する第１工程と、
前記レーザー装置のレーザー照射により、前記上側扁平型組電池及び前記下側扁平型組電池の前記電池端子部と、前記樹脂容器本体の端子をレーザー溶接する第２工程と、
により接続端子の接合を行うことを特徴とするバッテリの電池モジュール構造における接続端子の溶接方法。
【請求項２】
請求項１に記載のバッテリの電池モジュール構造における接続端子の溶接方法において、
前記樹脂容器本体の端子は、板状の銅母材にニッケルめっきを施したものであり、
前記上側扁平型組電池及び前記下側扁平型組電池の前記電池端子部は、板状のアルミ母材表面に絶縁皮膜が設けられたものであり、
前記第１工程では、板状の前記電池端子部の上面又は下面の一方の面の絶縁皮膜を除去し、
前記第２工程では、前記電池端子部の絶縁皮膜を除去した面又は絶縁皮膜のある広い面と、前記端子の広い面を重ね、面接部分にレーザー溶接を行う、
ことを特徴とするバッテリの電池モジュール構造における接続端子の溶接方法。
【発明の詳細な説明】
【技術分野】
【０００１】
本発明は、バッテリの電池モジュール構造における接続端子の溶接方法の技術分野に属する。
【背景技術】
【０００２】
従来では、少なくとも１面が開口し内部に薄型電池を積層した扁平型組電池を収容する金属容器本体と、金属容器本体の開口部を閉塞する金属蓋とを備え、容器内部は容器外部と連通し通気性を有する電池収容容器であって、金属容器本体の開口端部周縁と金属蓋の蓋端部周縁とを巻締めて結合している（例えば、特許文献１参照。）。
【特許文献１】特開２００６−９２８８４号公報（第２−８頁、全図）
【発明の開示】
【発明が解決しようとする課題】
【０００３】
しかしながら、従来のバッテリの電池モジュール構造にあっては、金属容器本体の開口端部周縁と金属蓋の蓋端部周縁とを巻締めにて結合しているため、容器の側面には巻締めの凸部が形成され、電池モジュールの積層方向が制限される問題があった。また、電池収容容器に電池セルを数枚収容するため、両端の電池セルと内部の電池セルとでは温度にバラツキがおきることが問題であった。さらに、電池セルの枚数が多いので、１モジュールあたりの重量が増加し、組付け作業者への負担が大きくなる問題があった。
【０００４】
本発明は、上記問題点に着目してなされたもので、その目的とするところは、より簡易な工法で、且つ１方向からの組付けを行うことができ、電池セル間の温度バラツキを抑えることができ、組付け作業者の負担を軽減できるバッテリの電池モジュール構造を提供するともに、電池セルを収容する容器側の電気的な接続端子と電池セルとの電気的な接続端子の接合をより良好なものにする。
【課題を解決するための手段】
【０００５】
上記目的を達成するため、本発明では、内部空間を形成し、上面を開口した樹脂容器本体と、中央に厚みがあり、周縁に薄い部分を有し、上下に重ねるように前記内部空間に設置される上側扁平型組電池及び下側扁平型組電池と、上側に配置した上側扁平型組電池と下側に配置した下側扁平型組電池の薄い部分の間で、中央の厚み部分を囲む枠形状の樹脂枠体と、前記樹脂容器本体の開口を閉塞する樹脂蓋部と、上側に配置した上側扁平型組電池と下側に配置した下側扁平型組電池を、前記樹脂容器本体と前記樹脂枠体、前記樹脂蓋部で上下に挟み込むよう保持する保持部と、前記樹脂容器本体に一体に設けられた、モジュール外部との電気的な接続のための端子と、前記上側扁平型組電池及び前記下側扁平型組電池にそれぞれ設けられた、アルミ母材表面に絶縁皮膜が設けられた電池端子部と、を備えたバッテリの電池モジュール構造において、レーザー装置のレーザー照射により、前記電子端子部の絶縁皮膜を除去する第１工程と、前記レーザー装置のレーザー照射により、前記上側扁平型組電池及び前記下側扁平型組電池の前記電池端子部と、前記樹脂容器本体の端子をレーザー溶接する第２工程と、により接続端子の接合を行うことを特徴とする。
【発明の効果】
【０００６】
よって、本発明にあっては、より簡易な工法で、且つ１方向からの組付けを行うことができ、電池セル間の温度バラツキを抑えることができ、組付け作業者の負担を軽減できるとともに、電池セルを収容する容器側の電気的な接続端子と電池セルとの電気的な接続端子の接合をより良好なものにすることができる。
【発明を実施するための最良の形態】
【０００７】
以下、本発明のバッテリの電池モジュール構造の接続端子の溶接方法を実現する実施の形態を、請求項１，２に係る発明に対応する実施例１と実施例２、請求項１に係る発明に対応する実施例３に基づいて説明する。
【実施例１】
【０００８】
まず、構成を説明する。
図１は実施例１のバッテリの電池モジュールの斜視図である。図２は実施例１のバッテリの電池モジュールの分解斜視図である。
電池モジュール１は、樹脂製で、単数もしくは複数により、例えば車両などに設けられるバッテリを構成するものであり、外部へ電源を供給するための端子を備えたものである。実施例１の電池モジュール１は、アッパーケース２、電池セル３，４、スペーサ５、ロアケース６を主要な構成としている。
【０００９】
アッパーケース２は、広い矩形の板状のもので、周縁近傍に設けられた取付孔２１によりネジの締結で、ロアケース６に取り付けられる。
アッパーケース２の下面には、電池セル３の薄いフィルム周縁部３３を保持するための下方に向かって凹形状を設ける。
電池セル３，４は、電池本体を上下からフィルムで挟むようにして外装され、周辺にフィルムの薄い周縁部が形成し、ここでシールする構造であり、位置決めに用いられる位置決め孔部３２，４２が、このフィルム周縁部３３，４３に設けられる。
また、フィルム周縁部３３，４３には、それぞれ２つの張り出した端子部３４，４４が設けられる。
そして、固定用の孔部３１，４１は、フィルム周縁部３３，４３に設けた端子部３４，４４に設けられる。
電池の例としてリチウムイオン電池を挙げておく。
【００１０】
スペーサ５は、樹脂製の矩形枠形状であり、枠外側の大きさは、ロアケース６の内部に嵌入される大きさであり、枠内側の大きさは、電池セル３，４の本体外側となるフィルム周縁部３３，４３の位置となるようにする。
また、スペーサには、位置決めに用いられる位置決め孔部５１を設けるようにする。
【００１１】
ロアケース６は、樹脂製の上方を開放した箱型形状で、全体として薄い板状となるように、広い底面と広い凹部６１を有するものである。ロアケース６には４つの端子６５がインサート成形により設けられており、薄い側部に一端が露呈し、他端が凹部６１の端部位置の底部で露呈する構造にしている。
また、ロアケース６の対向する両側であって、長い側部の下側には、ロアケース６の外部と凹部６１の内部を連通させる通気部６２が複数設けられている。次にロアケース６の対向する両側であって、長い側部の上端には、上辺を下方に凹ませた溝部６３が複数設けられている。
【００１２】
この溝部６３は、ロアケース６を凹部６１に蓋をするようにアッパーケース２が取り付けられることで、ロアケース６の外部と凹部６１の内部を連通させる通気部６４を形成する。
さらに、ロアケース６の凹部６１には、位置決めに用いるロケートピン６１１を設ける。
また、ロアケース６の凹部６１の底部には、電池セル４の薄いフィルム周縁部３３を保持するための下方に向かって凹形状を設ける。
【００１３】
次に組付け構造について説明する。
まず、ロアケース６の凹部６１に電池セル４を、ロケートピン６１１にフィルム周縁部４３の位置決め孔４２を貫入させるように載置し、ロアケース６にインサート成形された端子６５のうちの所定の２つにフィルム周縁部４３の端子部４４の孔部４１によりネジ７で締結する。
そして、端子６５と端子部４４は溶接により接合され、電気的にも接続する。
【００１４】
そして、次に位置決め孔部５１にロケートピン６１１を挿入するようにして、電池セル４のフィルム周縁部４３上で且つ、ロアケース６の凹部６１に枠形状のスペーサを載置する。
次に、枠形状のスペーサ上に、電池セル３のフィルム周縁部３３を載置し、且つフィルム周縁部３３の位置決め孔部３２にロケートピン６１１を貫入させるようにする。そして、ロアケース６にインサート成形された端子６５のうちの所定の２つにフィルム周縁部３３の端子部３４の孔部３１によりネジ７で締結する。そして、端子６５と端子部３４は溶接により接合され、電気的にも接続する。このようにして、ロアケース６の凹部６１に電池セル３を取り付ける。
【００１５】
そして、ロアケース６の凹部６１に蓋をするように、アッパーケース２を、取付孔２１によりネジの締結で取り付ける。このロアケース６とアッパーケース２の取り付けは、熱カシメや接着で接合してもよい。
実施例１の電池モジュール１では、電池セル３，４のフィルム周縁部３３，４３を挟み込むように保持し、電池セル３の上面、電池セル４の下面は、通気部６２，６４により通過する空気流により冷却される構造である。
【００１６】
次に、電池セル３，４の端子部３４，４４と、ロアケース６の端子６５の接合構造について説明する。
図３は、溶接前のロワケースの端子と電池セルの端子部の組み付け状態を示す説明図である。
ロワケース６の端子６５は、板状の銅母材部６５ｂの上面にニッケルめっき部６５ａを表面処理層として形成し、銅母材部６５ｂの下面にニッケルめっき部６５ｃを表面処理層として形成している。
【００１７】
また、電池セル３，４のフィルム周縁部３３，４３の端子部３４，４４は、板状のアルミ母材部３４ｂ，４４ｂの上面にベーマイト皮膜部３４ａ，４４ａを絶縁皮膜層として形成し、アルミ母材部３４ｂ，４４ｂの下面にベーマイト皮膜部３４ｃ，４４ｃを絶縁皮膜層として形成している。
そして、図示しないレーザー装置により皮膜除去、溶接を行う。これらの処理は同一の装置により行われる。
【００１８】
作用を説明する。
[簡易な工法で組み付ける作用]
実施例１の電池モジュール１は、樹脂製のアッパーケース２、スペーサ５、ロアケース６により、電池セル３，４のフィルム周縁部３３，４３を挟み込むように保持する構造である。
つまり２つの電池セル３，４を１つの電池モジュール１にすることで、比較的余裕のある保持構造にすることができ、許容できる変形量が大きくなる。そして、樹脂製で挟み込む保持構造にすることによっても、許容できる変形量が大きくなる。
さらに、樹脂製であることは、加工が容易であり、一部を熱溶着などにしても、金属製のように、全体への影響は小さい。
よって、アッパーケース２とロアケース６の取り付け方法は、熱カシメ、リベット止め、接着など、簡易な工法で自由度があるようになる。
【００１９】
[１方向からの組付け作用]
実施例１の電池モジュール１は、ロアケース６の凹部６１の端部に並列させるように４つの端子を露出させた配置は重ねないようにする。そして、重ねるように配置する電池セル３，４の端子へフィルム周縁部３３、４３を取り付けるための孔部３１，４１の部分、つまり端子部３４，４４も重ならないようにずらした配置にする。
【００２０】
そして、同じロケートピン６１１に位置決め孔部３２、位置決め孔４２、位置決め孔部５１を貫入させるように組付ける構造にする。
さらに、上記説明のように、アッパーケース２、スペーサ５、ロアケース６により、電池セル３，４のフィルム周縁部３３，４３を上下の組付け方向と同じ方向に挟み込むように保持する構造である。
【００２１】
よって、実施例１の電池モジュール１は、ロアケース６の凹部６１に電池セル４、その上にスペーサ５、その上に電池セル３、そして凹部６１に蓋をするようにアッパーケース２を取り付ける１方向組付けが可能となる。
【００２２】
[電池セル間の温度バラツキを抑える作用]
実施例１の電池モジュール１は、電池セル数を敢えて２つにし、アッパーケース２の対向方向に設けられる複数の通気部６４と、ロアケース６の対向方向に設けられる複数の通気部６２により、上下の電池セル３，４は同じ冷却構造で冷却されることになる。
例えば、通気部６２，６４を設けた対向方向を車両の前後方向にして走行風を取り込む、あるいは外部に設けられる送風手段の送風方向にすることで、電池セル３の上面と電池セル４の下面を冷却する。この場合、内部の冷却面積等は対称な形状であるため、同条件となり、冷却に偏りがない。
また、電池セル３とアッパーケース２の広い面が対面して冷却面となり、電池セル４とロアケース６の２の広い面が対面して冷却面となる。
このように外部との伝熱による冷却条件も同様なものとなり、偏りがない。
【００２３】
つまり、実施例１の電池モジュール１は、電池セル数を敢えて２つにすることで、例えば３つとなると、中央と上下のものでは、どうしても中央に熱が溜めるため、温度バラツキが進むが、実施例１では、均一で、且つ良好な冷却性能が発揮されるため、電池セル間の温度バラツキを抑えることができる。
【００２４】
[組付け作業者の負担を軽減する作用]
実施例１の電池モジュール１は、電池セル数を敢えて２つにしているため、複数積層させている従来に比べて軽量になる。
そのため、電池モジュール１を複数配置してバッテリを構成する際、組付け作業者の負担は軽減されることになる。
【００２５】
[積層の自由度向上作用]
図４は実施例１の電池モジュールを積層させた場合の説明図である。図５は電池モジュールの積層状態の説明図である。
実施例１の電池モジュール１は、ロアケース６にアッパーケース２をネジの締結、熱カシメ、接着、溶着等で固定すればよいため、図４に示すように、厚み方向の側部を下にして立設することができ、またさらに横方向に積層することも容易である。
【００２６】
例えば、ロアケース６とアッパーケース２を巻締めにすると、側方に巻締めによるふちが突出するため、厚み方向の側部を下にして立設することができない。つまり、図５(a)のようにはできない。図５(b)に示すように平積みになる。
このように、実施例１の電池モジュール１は積層の自由度が向上し、例えばスペース上、横方向の積層にしなければ、その装置または車両への搭載ができない場合には、横方向に積層する構成をとることができる。
【００２７】
[電気的接続を良好にする作用]
図６は実施例１のバッテリの電池モジュール構造の電気的接続のために行う皮膜除去工程と溶接工程の説明図である。
実施例１において、電池セル３，４のフィルム周縁部３３，４３の端子部３４，４４は、ベーマイト皮膜を絶縁皮膜層として上下両面に備えている。
このベーマイト皮膜は、電池セル３，４にとって有用であり（例えば特開２００５−１００７４２参照）、他の皮膜を用いたとしても同様の性能を期待するものが用いられることになる。
【００２８】
しかしながら、このベーマイト皮膜による絶縁皮膜層は、電池セル３，４の端子部３４，４４を、ロワケース６に一体成形されている端子６５へレーザー溶接による接合を行う際、レーザーを通過しにくくする。そのため、レーザーによるアルミ母材部３４ｂ，４４ｂの溶融の進行が充分でなく、接合後の引き剥がし強度が充分に得られない。
【００２９】
これに対して、レーザー装置のレーザー出力（エネルギー）を大きくしていくと、端子６５が一体成形されている樹脂のロワケース６への影響が出てしまう。
また、この接合のために、電池セル３，４の端子部３４，４４に予め皮膜のない部分を設けることは、電池セル３，４のコスト上、現実的には困難となる。
【００３０】
実施例１では、電池セル３，４のロワケース６への組み付け時（図３参照）に、端子接合工程の第１工程として、電池セル３，４の端子部３４，４４の上面のベーマイト皮膜部３４ａ，４４ａをレーザー照射により除去する。
この皮膜除去は、後のレーザー溶接を行うレーザー装置にて同一装置にて行う。詳細には、レーザーをパルス出力しながら溶接箇所に沿って照射位置を移動させるレーザー装置により、溶接箇所に相当する端子部３４，４４の上面の表面層（ベーマイト皮膜部３４ａ，４４ａ）をレーザー加工するようにレーザー照射１０１を走査させる。
このようにして、レーザー照射１０１の走査により、ベーマイト皮膜部３４ａ，４４ａが除去された皮膜除去部８１をレーザー加工で形成する（図６(a)参照）。
【００３１】
次に、端子接合工程の第２工程として、電池セル３，４の端子部３４，４４と、ロワケース６の端子６５をレーザー溶接により接合する。
レーザー装置は、皮膜除去と同じ装置を用いる。レーザー装置は、所定のパルス出力、所定の位置、経路で照射位置を移動させるようにして、溶接箇所である電池セル３，４の端子部３４，４４と、ロワケース６の端子６５の接触部にレーザー照射１０２を走査させる（図６(b)参照）。この溶接時には、端子部３４，４４の上面のベーマイト皮膜部３４ａ，４４ａが除去されていることにより、照射したレーザーが充分に溶接溶融箇所へ到達し、電池セル３，４の端子部３４，４４と、ロワケース６の端子６５の接触部が良好に溶融結合する。これにより溶融部８２が形成される（図６(b)参照）。そのため、溶接後の引き剥がし強度が良好な値となり、機械的な接合及び電気的な接合が充分に得られることになる。
【００３２】
実施例１のバッテリの電池モジュール構造では、積層の自由度の向上できるものである。この積層方向は、横方向の積層も可能であるし、縦方向の積層も可能である。ロワケース６は、樹脂製の上方を開放した箱型形状で、全体として薄い板状となるように、広い底面と広い凹部６１を有するものである。
【００３３】
そのため、実施例１のように、ロワケース６にインサート成形（一体成形）した端子６５へレーザー照射が同一箇所へ２回繰り返されても、レーザー照射のエネルギーを抑制した方が、一度に大きなエネルギーを与えるよりも、ロワケース６の熱変形あるいは熱応力を生じさせにくくすることになる。繰り返しによる影響としては２回の回数は少ないためである。これは、縦横の積層状態を、初期及び長期の使用に際して、良好な状態に維持させることにつながり有利である。
つまりロワケース６の樹脂の変形や劣化への配慮が充分であるということである。
【００３４】
次に、効果を説明する。
実施例１のバッテリの電池モジュール構造における接続端子の溶接方法にあっては、下記に列挙する効果を得ることができる。
【００３５】
(1)凹部６１を形成し、上面を開口した樹脂製のロアケース６と、中央に厚みがあり、周縁に薄いフィルム周縁部３３，４３を有し、上下に重ねるように凹部６１に設置される電池セル３及び電池セル４と、上側に配置した電池セル３と下側に配置した電池セル４の薄い部分の間で、中央の厚み部分を囲む枠形状で樹脂製のスペーサ５と、樹脂製のロアケース６の開口を閉塞するアッパーケース２と、上側に配置した電池セル３と下側に配置した電池セル４を、樹脂製のロアケース６とスペーサ５、アッパーケース２で上下に挟み込むよう保持する構造と、ロワケース６に一体に設けられた、モジュール外部との電気的な接続のための端子６５と、電池セル３及び電池セル４にそれぞれ設けられた、アルミ母材部３４ｂ，４４ｂの表面にベーマイト皮膜部３４ａ，３４ｃ，４４ａ，４４ｃが設けられた端子部３４，４４を備えたバッテリの電池モジュール１において、レーザー装置のレーザー照射により、電子端子部のベーマイト皮膜部３４ａ，４４ａを除去する第１工程と、レーザー装置のレーザー照射により、電池セル３及び電池セル４の端子部３４，４４と、ロワケース６の端子６５をレーザー溶接する第２工程とにより接続端子の接合を行うため、より簡易な工法で、且つ１方向からの組付けを行うことができ、電池セル間の温度バラツキを抑えることができ、組付け作業者の負担を軽減できるとともに、電池セルを収容する容器側の電気的な接続端子と電池セルとの電気的な接続端子の接合をより良好なものにすることができる。
【００３６】
(2) (1)において、ロワケース６の端子６５は、板状の銅母材部６５ｂにニッケルめっき部６５ａ，６５ｃを施したものであり、電池セル３及び電池セル４の端子部３４，４４は、板状のアルミ母材部３４ｂ，４４ｂの表面にベーマイト皮膜部３４ａ，３４ｃ，４４ａ，４４ｃが設けられたものであり、第１工程では、板状の端子部３４，４４の上面のベーマイト皮膜部３４ａ，４４ａを除去し、第２工程では、端子部３４，４４のベーマイト皮膜部３４ｃ，４４ｃのある広い面と、端子の広い面を重ね、面接部分にレーザー溶接を行うため、上面のベーマイト皮膜部３４ａ，４４ａを除去することにより、溶接部位へ照射したレーザーが充分に到達するようにして、電池セル３，４を収容するロワケース６の電気的な端子６５と電池セル３，４との電気的な接続端子の接合をより良好なものにすることができる。
【実施例２】
【００３７】
実施例２は、電池セル３，４の端子部３４，４４の下面のベーマイト皮膜部３４ｃ，４４ｃを除去する例である。
構成を説明する。
図７は、実施例２における溶接前のロワケースの端子と電池セルの端子部の組み付け状態を示す説明図である。
実施例２では、電池セル３，４の端子部３４，４４の下面のベーマイト皮膜部３４ｃ，４４ｃを除去し皮膜除去部８３を形成し、この皮膜除去部８３の面が、ロワケース６の端子６５に面接するようにしている（図７参照）。
【００３８】
作用を説明する。
実施例２では、端子接合工程の第１工程として、電池セル３，４の端子部３４，４４の下面のベーマイト皮膜部３４ｃ，４４ｃを除去し、皮膜除去部８３を形成している。そして、この皮膜除去部８３の面が、ロワケース６の端子６５に面接するようにしている。
そして、電池セル３，４の端子部３４，４４の下面の皮膜除去部８３とロワケース６の端子６５の上面の面接部分を、端子接合工程の第２工程でレーザー溶接する。
【００３９】
同一レーザー装置による第１工程、第２工程に対して、実施例２では、電池セル３，４の表裏を反対にする工程が追加されることになるが、溶接による溶融部分には、ベーマイト皮膜が一切混入しないものとなるため、機械的接合状態と電気的接合状態は、さらに良好なものとなる。
【００４０】
次に効果を説明する。実施例２のバッテリの電池モジュール構造における接続端子の溶接方法にあっては、上記(1)の効果に加えて、以下の効果を有する。
(2)´ (1)において、ロワケース６の端子６５は、板状の銅母材部６５ｂにニッケルめっき部６５ａ，６５ｃを施したものであり、電池セル３及び電池セル４の端子部３４，４４は、板状のアルミ母材部３４ｂ，４４ｂの表面にベーマイト皮膜部３４ａ，３４ｃ，４４ａ，４４ｃが設けられたものであり、第１工程では、板状の端子部３４，４４の下面のベーマイト皮膜部３４ｃ，４４ｃを除去し、皮膜除去部８３を形成し、第２工程では、端子部３４，４４のベーマイト皮膜部３４ｃ，４４ｃを除去し、皮膜除去部８３を形成した面と、端子６５の広い面を重ね、面接部分にレーザー溶接を行うため、下面のベーマイト皮膜部３４ｃ，４４ｃを除去することにより、溶接部位へ照射したレーザーが充分に到達するようにして、電池セル３，４を収容するロワケース６の電気的な端子６５と電池セル３，４との電気的な接続端子の接合をより良好なものにすることができる。
【実施例３】
【００４１】
実施例３は、電池セル３，４の端子部３４，４４の上面及び下面の両面のベーマイト皮膜部３４ａ，３４ｃ，４４ａ，４４ｃを除去する例である。
構成を説明する。
図８は、実施例３における溶接前のロワケースの端子と電池セルの端子部の組み付け状態を示す説明図である。
実施例３では、電池セル３，４の端子部３４，４４の上下面のベーマイト皮膜部３４ａ，３４ｃ，４４ａ，４４ｃを除去し、皮膜除去部８３，８４を形成している。そして、皮膜除去部８３を形成した下面が、ロワケース６の端子６５に面接するようにしている（図８参照）。
【００４２】
作用を説明する。
実施例３では、端子接合工程の第１工程として、電池セル３，４の端子部３４，４４の上下面のベーマイト皮膜部３４ａ，３４ｃ，４４ａ，４４ｃを除去し、皮膜除去部８３，８４を形成している。そして、この面が、ロワケース６の端子６５に面接するようにしている。
そして、電池セル３，４の端子部３４，４４の皮膜除去部８３を形成した下面とロワケース６の端子６５の上面の面接部分を、端子接合工程の第２工程でレーザー溶接する。
【００４３】
同一レーザー装置による第１工程、第２工程に対して、実施例３においても、電池セル３，４の表裏を反対にする工程が追加されることになるが、溶接による溶融部分には、ベーマイト皮膜が一切混入しないものとなるため、機械的接合状態と電気的接合状態は、さらに良好なものとなる。
さらに、実施例３では、照射したレーザーに対してベーマイト皮膜が影響することが一切なくなるため、さらに良好な機械的接合及び電気的接合を得られる。
【００４４】
次に効果を説明する。実施例３のバッテリの電池モジュール構造における接続端子の溶接方法にあっては、上記(1)の効果に加えて、以下の効果を有する。
(3) (1)において、ロワケース６の端子６５は、板状の銅母材部６５ｂにニッケルめっき部６５ａ，６５ｃを施したものであり、電池セル３及び電池セル４の端子部３４，４４は、板状のアルミ母材部３４ｂ，４４ｂの表面にベーマイト皮膜部３４ａ，３４ｃ，４４ａ，４４ｃが設けられたものであり、第１工程では、板状の端子部３４，４４の上下面のベーマイト皮膜部３４ａ，３４ｃ，４４ａ，４４ｃを除去し、皮膜除去部８３，８４を形成し、第２工程では、端子部３４，４４のベーマイト皮膜部３４ｃ，４４ｃを除去し、皮膜除去部８３を形成した下面と、端子の広い上面を重ね、面接部分にレーザー溶接を行うため、上下面のベーマイト皮膜部３４ａ，３４ｃ，４４ａ，４４ｃを除去することにより、溶接部位へ照射したレーザーが充分に到達するようにして、電池セル３，４を収容するロワケース６の電気的な端子６５と電池セル３，４との電気的な接続端子の接合をより良好なものにすることができる。
【実施例４】
【００４５】
実施例４は、アッパーケースとロアケースの一部を金属にし、電池セルに接触させる構造にした例である。
構成を説明する。
図９は実施例４のバッテリの電池モジュールの斜視図である。図１０は実施例４のバッテリの電池モジュールの分解斜視図である。
実施例４では、ロアケース６の端子６５を設けた側に対応するアッパーケース２の１辺と反対側のネジ締結を行う部分を樹脂製として、他の部分を金属製の金属部分２２にする。例として、アルミ板に樹脂部分を熱カシメで固定したものを挙げておく。
これにより広い１面の金属部分を形成する。
【００４６】
次にロアケース６は、端子６５や凹部６１、ロケートピン６１１を設けている部分を樹脂製とし、凹部６１の底部となる部分を金属製の金属部分６６にする。例として、アルミ板に樹脂部分を熱カシメで固定したものを挙げておく。
なお、アッパーケース２の金属部分２２と樹脂部分、ロアケース６の金属部分６６と樹脂部分は、インサート成形、接着、など他の工法で固定するものであってもよい。
【００４７】
そして、電池セル３の上面とアッパーケース２の金属部分２２を接触させる構造にし、電池セル４の下面とロアケース６の金属部分６６を接触させる構造にする。
なお、実施例４では、通気部６２，６４を設けていないが、設けてもよく、その際には、金属部分２２，６６の一部を接触しないようにして、通気部６２，６４のよる外部と内部の通風を可能にする構造にすればよい。
その他構成は実施例１と同様であるので説明を省略する。
【００４８】
作用を説明する。
[電池セル間の温度バラツキを抑える作用]
図１１は実施例２のバッテリの電池モジュールの断面図である。
実施例４の電池モジュール１は、電池セル数を敢えて２つにし、電池セル３の上面とアッパーケース２の金属部分２２の接触、電池セル４の下面とロアケース６の金属部分６６の接触により、上下の電池セル３，４は同じ冷却構造で冷却されることになる（図１１参照）。
つまり、電池セル３の上面と電池セル４の下面を冷却するので、内部の冷却面積等は対称な形状であるため、同条件となり、冷却に偏りがない。
【００４９】
また、金属部分２２，６６との接触は、伝熱性が高く、冷却の効率が高くなる。このように実施例２では、さらに冷却性を向上させ、均一で、且つ良好な冷却性能が発揮されるため、電池セル間の温度バラツキを抑えることができる。
【００５０】
効果を説明する。
実施例４のバッテリの電池モジュール構造にあっては、上記(1)に加えて、以下の効果を有する。
(4) (1)において、アッパーケース２及びロアケース６に金属部分２２，６６を設け、電池セル３の上面及び電池セル４の下面に接触させる構造にしたため、電池セル３，４の伝熱による放熱性を向上させ、向上させた冷却性において電池セル間の温度バラツキを抑えることができる。
その他作用効果は実施例１と同様であるので、説明を省略する。
【実施例５】
【００５１】
実施例５は、アッパーケースとロアケースの一部を金属にし、電池セルに接触させる構造にした例である。
構成を説明する。
図１２は実施例５のバッテリの電池モジュールの斜視図である。図１３は実施例５のバッテリの電池モジュールの分解斜視図である。
実施例５では、ロアケース６の端子６５を設けた側に対応するアッパーケース２の１辺と反対側のネジ締結を行う部分を含むように枠形状の樹脂製にし、樹脂枠部分２３とする。そして、樹脂枠内側を金属製の金属部分２２にする。例として、アルミ板をインサート成形したものを挙げておく。これにより広い１面の金属部分を形成する。
その他構成は、実施例４と同様であるので、説明を省略する。
【００５２】
作用を説明する。
[内部膨張への対応性向上作用]
実施例５のバッテリの電池モジュール１は、アッパーケース２を樹脂枠部分２３と金属部分２２からなるようにする。
すると、金属部分２２の変形をより許容できることになる。枠全体で板状の金属部分２２を保持するからである。
金属部分２２は電池セル３の上面に接触させているため、内部の変形や膨張の影響をアッパーケース２が受けることになるが、樹脂枠部分２３で金属部分２２を保持し、より変形を許容するため、内部膨張への対応性が向上する。
【００５３】
効果を説明する。
実施例５のバッテリの電池モジュール構造にあっては、上記(1)に加えて、以下の効果を有する。
(4)´ (1)において、アッパーケース２は樹脂製の枠形状である樹脂枠部分２３と、樹脂枠部分２３の枠内側に設けた金属部分２２で構成し、ロアケース６に金属部分６６を設け、電池セル３の上面及び電池セル４の下面に接触させる構造にしたため、内部膨張への対応性を向上させることができつつ、電池セル３，４の伝熱による放熱性を向上させ、向上させた冷却性において電池セル間の温度バラツキを抑えることができる。
その他作用効果は実施例４と同様である。
【００５４】
以上、本発明のバッテリの電池モジュール構造を実施例１〜実施例５に基づき説明してきたが、具体的な構成については、これらの実施例に限られるものではなく、特許請求の範囲の各請求項に係る発明の要旨を逸脱しない限り、設計の変更や追加等は許容される。
【００５５】
例えば、実施例１では、ロアケースの端子と電池セルの取り付けはネジの締結にしたが、カシメ接合、溶着的なスポット溶着、超音波接合、摩擦攪拌接合などであってもよい。
【図面の簡単な説明】
【００５６】
【図１】実施例１のバッテリの電池モジュールの斜視図である。
【図２】実施例１のバッテリの電池モジュールの分解斜視図である。
【図３】溶接前のロワケースの端子と電池セルの端子部の組み付け状態を示す説明図である。
【図４】実施例１の電池モジュールを積層させた場合の説明図である。
【図５】電池モジュールの積層状態の説明図である。
【図６】実施例１のバッテリの電池モジュール構造の電気的接続のために行う皮膜除去工程と溶接工程の説明図である。
【図７】実施例２における溶接前のロワケースの端子と電池セルの端子部の組み付け状態を示す説明図である。
【図８】実施例３における溶接前のロワケースの端子と電池セルの端子部の組み付け状態を示す説明図である。
【図９】実施例４のバッテリの電池モジュールの斜視図である。
【図１０】実施例４のバッテリの電池モジュールの分解斜視図である。
【図１１】実施例４のバッテリの電池モジュールの断面図である。
【図１２】実施例５のバッテリの電池モジュールの斜視図である。
【図１３】実施例５のバッテリの電池モジュールの分解斜視図である。
【符号の説明】
【００５７】
１  電池モジュール
２  アッパーケース
２１  取付孔
２２  金属部分
２３  樹脂枠部分
３  電池セル
３１  （固定用の）孔部
３２  位置決め孔部
３３  フィルム周縁部
３４  端子部
３４ａ  ベーマイト皮膜部
３４ｂ  アルミ母材部
３４ｃ  ベーマイト皮膜部
４  電池セル
４１  （固定用の）孔部
４２  位置決め孔部
４３  フィルム周縁部
４４  端子部
４４ａ  ベーマイト皮膜部
４４ｂ  アルミ母材部
４４ｃ  ベーマイト皮膜部
５  スペーサ
５１  位置決め孔部
６  ロアケース
６１  凹部
６１１  ロケートピン
６２  通気部
６３  溝部
６４  通気部
６５  端子
６５ａ  ニッケルめっき部
６５ｂ  銅母材部
６５ｃ  ニッケルめっき部
６６  金属部分
７  ネジ
８１  皮膜除去部
８２  溶融部
８３  皮膜除去部
８４  皮膜除去部
１０１  レーザー照射
１０２  レーザー照射
【図１】
2009037785.tif 000003
【図２】
2009037785.tif 000004
【図３】
2009037785.tif 000005
【図４】
2009037785.tif 000006
【図５】
2009037785.tif 000007
【図６】
2009037785.tif 000008
【図７】
2009037785.tif 000009
【図８】
2009037785.tif 000010
【図９】
2009037785.tif 000011
【図１０】
2009037785.tif 000012
【図１１】
2009037785.tif 000013
【図１２】
2009037785.tif 000014
【図１３】
2009037785.tif 000015